(57)【特許請求の範囲】
【請求項１】
奇数ラインと偶数ラインでそれぞれ異なるＲ，Ｇ，Ｂ映像信号を有する３板式液晶プロジェクタによる立体映像表示装置において、
白色光源と、
該白色光源の光をＲ，Ｇ，Ｂ光に分光する分光手段と、
分光したＲ，Ｇ，Ｂ各色の光が透過する、入射側及び出射側に互いに透過軸、または吸収軸が９０度異なる偏光板が置かれた３枚の液晶パネルと、
前記各３枚の液晶パネルを透過する光の偏光軸を、奇数ラインと偶数ラインで互いに９０度異なるように変換する手段と、
前記３枚の液晶パネルへそれぞれ入力するＲ，Ｇ，Ｂ信号のレベルを奇数ラインと偶数ラインとで異なった画質データで補正する手段と、
を具備したことを特徴とする立体映像表示装置。
【請求項２】
前記の補正する手段は、奇数ラインと偶数ラインとで異なった画質データを、１ライン毎に切り換えるデータ切り換え回路と、奇数ラインと偶数ラインでそれぞれ異なるＲ，Ｇ，Ｂ映像信号を、１ライン毎に前記データ切り換え回路からの画質データで画質補正する画質設定回路とで構成されることを特徴とする請求項１記載の立体映像表示装置。
【請求項３】
奇数ラインと偶数ラインでそれぞれ異なるＲ，Ｇ，Ｂ映像信号を有する３板式液晶プロジェクタによる立体映像表示装置において、
白色光源と、
該白色光源の光をＲ，Ｇ，Ｂ光に分光する分光手段と、
分光したＲ，Ｇ，Ｂ各色の光が透過する、入射側及び出射側に互いに透過軸、または吸収軸が９０度異なる偏光板が置かれた３枚の液晶バネルと、
前記各３枚の液晶バネルを透過する光の偏光軸を、奇数ラインと偶数ラインで互いに９０度異なるように変換する手段と、
前記３枚の液晶パネルの入射測または出射側にそれぞれ配置された、奇数ラインと偶数ラインで透過特性の異なる光学的フィルタと、
を具備したことを特徴とする立体映像表示装置。
【発明の詳細な説明】
【０００１】
【発明の属する技術分野】
本発明は、立体的な映像認識を可能とする３板式液晶プロジェクタによる立体映像表示装置に関するものである。
【０００２】
【従来の技術】
近年、優れた臨場感と実在感に富んだ映像を再現できる立体映像表示装置が注目されている。
【０００３】
立体映像表示装置は、通常のテレビジョン受像機等の表示装置とは異なり、３次元画像表示、つまり立体視が可能であることから、通信、放送、教育、医学、展示及び娯楽といった種々様々な分野での応用が期待されている。
【０００４】
立体映像システムでは、この視差に相当する像のずれが生じるような映像を、左右それぞれの目に独立に映し出すことで立体感を生み出させる。つまり、両眼視差の持つ左右夫々の映像を撮像したステレオ映像を用意し、このステレオ映像を偏光メガネなどの観察手段を用いて観察することにより、観察者の両眼にはステレオ映像の左右の映像が単一視され、結果として立体的な映像の視聴を可能にする。
【０００５】
視聴者が偏光メガネを装着することにより、立体映像を鑑賞することが可能な単板式液晶プロジェクタの一例を挙げる。
【０００６】
図１１に単板式液晶プロジェクタの構成図を示す。図１２は立体映像信号の構成を示した図、図１３は偏光変換手段の具体的な構成を示す斜視図、図１４は視聴者が立体映像画面の見方を示す図である。
【０００７】
図１１において、入力端子２からは立体映像信号１が入力される。立体映像信号１は、図１２に示すように２つの映像信号、すなわち左目用映像信号と右目用映像信号が、一方は奇数ライン、他の一方が偶数ラインに挿入されて、１フレームを構成している。本例では左目用を奇数ライン、右目用を偶数ラインとしているが、その逆でもかまわない。
【０００８】
信号処理回路３は入力端子２から入力された立体映像信号１を液晶パネル４に表示する。光源５からの略平行光は集光レンズ６により投写レンズ８の入射瞳に向け集光され、かつ入射側及び出射側に、互いに透過軸、吸収軸の偏光方向が９０°異なる偏光板９，１０が置かれた液晶パネル４を透過し、なおかつその出射側に配置された偏光変換手段７を透過する。
【０００９】
ここで偏光変換手段７を、図１３を参照して具体的に説明する。通常、液晶パネルの透過光は前後の偏光板を透過するため、偏光軸が一方向に揃っている。本例では、前の偏光板９で選択されたＰ偏光のみ液晶パネル４に入射し、液晶パネル４の出射光の偏光軸はＳ偏光に変換されて偏光板１０を透過する。偏光板１０の直後には、出射面に接するか、または貼付されたガラス板１２が配置される。ガラス板１２の面上には、液晶パネル４の表示部の１ライン幅に合わせた位相差板１３を、奇数ライン、偶数ラインいずれかのラインにのみ貼り付ける。本例では偶数ラインのみ貼付するが、その逆でもかまわない。位相差板１３は透過する光の偏光軸を９０°回転させる作用があり、偶数ラインに合わせた位相差板１３を透過した光はＰ偏光に変換される。奇数ラインはＳ偏光のままである。この偏光変換手段７の透過光は投写レンズ８によりスクリ−ン１１に拡大投写される。
【００１０】
図１４に表示画面に映出される映像の偏光状態を示す。前記偏光変換手段７の効果により、スクリーン１１投写画面も同様に、奇数ラインがＳ偏光、偶数ラインがＰ偏光となる。ここで、左目用ガラスと右目用ガラスの透過光の偏光軸が互いに９０゜異なる、本例では左目用がＳ偏光、右目用がＰ偏光のみ透過するフィルムが貼付された偏光メガネ１４を用意する。これを視聴者が装着して、スクリーン１１上に表示された立体映像信号１の表示画像を見ると、脳の中で合成されて、立体画像に見えるという原理である。なお、本例の構成の液晶プロジェクタは通常の映像信号を入力した場合、視聴者はメガネなしで問題なく、鑑賞可能である。
【００１１】
以上の例は単板式液晶プロジェクタの場合であるが、次に本例を３板式液晶プロジェクタに応用した他の従来例を示す。図１５は３板式液晶プロジェクタの概略構成図、図１６は３板式液晶プロジェクタにおける光学エンジン部の構成図、図１７は奇数ラインと偶数ラインにおける、各色の合成プリズムの反射、透過特性を示した図である。
【００１２】
図１５において、図１２と同様な構成の立体映像信号１が入力端子１５より、信号処理回路１６に入力される。信号処理回路１６は立体映像信号１を処理し、Ｒ色信号、Ｇ色信号、Ｂ色信号に変換し、光学エンジン部１７に装着されている各色の液晶パネルに入力する。光源２０の光は光学エンジン部１７内の３枚の液晶パネルを透過し、表示面に表示された立体映像信号１が投写レンズ１８により、スクリーン１１に拡大投写される。
【００１３】
次に、図１６を参照して上記光学エンジン部１７を説明する。
光源２０の略平行光はダイクロイックミラー（以下、ＤＭと記す）２１でＲ光が透過、ＧＢ（シアン）光が４５゜方向に反射する。Ｒ光はＤＭ２２で４５°全反射した後、集光レンズ２８Ｒに入射する。集光レンズ２８Ｒの透過光は、入射側偏光板２９ＲでＰ偏光のみ液晶パネル３０Ｒに入射し、透過光はＳ偏光に変換され、出射側偏光板３１Ｒを透過する。偏光変換手段３２Ｒは前例と同様、偶数ラインのみＰ偏光に変換する。以上、集光レンズ２８Ｒから偏光変換手段３２Ｒまでの経路は動作、作用等は前記単板式液晶プロジェクタと全く同じであり、本例での他の色の経路、すなわちＧ色の２８Ｇ〜３２Ｇ、Ｂ色の２８Ｂ〜３２Ｂも同様であるため、以後説明を省略する。
【００１４】
前記ＤＭ２１で反射したシアン光は、ＤＭ２３でＧ光が４５°方向に反射、Ｂ光が透過する。反射したＧ光は集光レンズ２８Ｇに入射する。一方、透過したＢ光はリレーレンズ２４〜ＤＭ２５（４５°方向に全反射）〜リレーレンズ２６〜ＤＭ２７（４５°方向に全反射）を経て、集光レンズ２８Ｂに入射する。Ｂ光のみ本例のようなリレーレンズの経路を持つ理由は、Ｂ光の経路のみＲ，Ｇ光に対し、長い経路となることによる。そのため、リレーレンズ２４，２６の集光作用、結像作用で光学的補正を加えている。
【００１５】
以上、説明したＲ光，Ｇ光，Ｂ光は各偏光変換手段３２Ｒ，３２Ｇ，３２Ｂを透過して、合成プリズム（クロスプリズム）３３に入射し、合成プリズム３３でＧ光は透過、Ｒ，Ｂ光は４５°反射し、結果的に３色が合成され、投写レンズ１８により液晶パネル表示画像がスクリーン１１に投写される。
【００１６】
しかしながら、本例の如き３板式液晶プロジェクタでは次に説明するような不具合が生じる。これを図１７を参照して説明する。
【００１７】
一般に、合成プリズム３３では入射光が４５度になるため、色（波長）に対する透過特性、反射特性が違ってくる。すなわち、Ｓ偏光では反射帯が広く、透過帯が狭くなり、Ｐ偏光では逆に反射帯が狭く、透過帯が広くなる。したがって、図１７(a) に示すごとく、奇数ラインではＳ偏光の反射帯域が広くなり、透過帯域が狭くなるため、図１７(b) に示すように合成プリズム３３の合成光のＲ，Ｂ光の成分が多くなる。逆に図１７(c) に示すごとく、偶数ラインでは、Ｐ偏光の反射帯域が狭くなり、透過帯域が広くなるため、図１７(d) に示すように合成プリズム３３の合成光のＧ成分が多くなる。したがって、投写画面を視聴者が見た場合、メガネを装着しての立体映像では、左右の目に写る画面の色が異なるため、合成された映像信号の色が元画像に比べ異なり、メガネなしの通常映像を見た場合、１ライン毎に色が異なる画像に見え、不自然な印象を与えてしまう。
【００１８】
【発明が解決しようとする課題】
上記の如く、従来構成の３板式液晶プロジェクタでは、合成プリズムのＳ偏光、Ｐ偏光に対する反射、透過特性の違いより１ライン毎に画面の色が異なる現象が生じるという問題があった。
【００１９】
そこで、本発明は、上記のような問題に鑑み、３板式液晶プロジェクタで生じる、１ライン毎に画面の色が異なる現象を軽減させることができる立体映像表示装置を提供することを目的とするものである。
【００２０】
【課題を解決するための手段】
請求項１記載の発明は、奇数ラインと偶数ラインでそれぞれ異なるＲ，Ｇ，Ｂ映像信号を有する３板式液晶プロジェクターによる立体映像表示装置において、
白色光源と、
該白色光源の光をＲ，Ｇ，Ｂ光に分光する分光手段と、
分光したＲ，Ｇ，Ｂ各色の光が透過する、入射側及び出射側に互いに透過軸、または吸収軸が９０度異なる偏光板が置かれた３枚の液晶パネルと、
前記各３枚の液晶パネルを透過する光の偏光軸を、奇数ラインと偶数ラインで互いに９０度異なるように変換する手段と、
前記３枚の液晶パネルへそれぞれ入力するＲ，Ｇ，Ｂ信号のレベルを奇数ラインと偶数ラインとで異なった画質データで補正する手段と、を具備したことを特徴とする。
【００２１】
請求項１の発明では、３枚の液晶パネルにそれぞれ入力されるＲ，Ｇ，Ｂのビデオ信号において、奇数ラインと偶数ラインで異なる画質データにて補正を行う。これにより、偏光軸を変換する手段を通したＲ，Ｇ，Ｂ光を合成する合成プリズムのＳ偏光、Ｐ偏光での反射及び透過率特性の違いを補正することが可能なため、１ラインごとに画面の色が異なる不具合が軽減される。
【００２２】
請求項２記載の発明は、請求項１記載の立体映像表示装置において、
前記の補正する手段は、奇数ラインと偶数ラインとで異なった画質データを、１ライン毎に切り換えるデータ切り換え回路と、奇数ラインと偶数ラインでそれぞれ異なるＲ，Ｇ，Ｂ映像信号を、１ライン毎に前記データ切り換え回路からの画質データで画質補正する画質設定回路とで構成されることを特徴とする。
【００２３】
請求項３記載の発明は、奇数ライン、偶数ラインでそれぞれ異なるＲ，Ｇ，Ｂ映像信号を有する３板式液晶プロジェクタによる立体映像表示装置において、
白色光源と、
該白色光源の光をＲ，Ｇ，Ｂ光に分光する分光手段と、
分光したＲ，Ｇ，Ｂ各色の光が透過する、入射側及び出射側に互いに透過軸、または吸収軸が９０度異なる偏光板が置かれた３枚の液晶バネルと、
前記各３枚の液晶バネルを透過する光の偏光軸を、奇数ラインと偶数ラインで互いに９０度異なるように変換する手段と、
前記３枚の液晶パネルの入射測または出射側にそれぞれ配置された、奇数ラインと偶数ラインで透過特性の異なる光学的フィルタと、を具備したことを特徴とする。
【００２４】
請求項３の発明では、３枚の液晶パネルの入射側または出射側にそれぞれ、奇数ラインと偶数ラインで透過特性の異なる光フィルタを設置する。これにより、偏光軸を変換する手段を通したＲ，Ｇ，Ｂ光を合成する合成プリズムのＳ偏光、Ｐ偏光での反射及び透過率特性の違いを補正することが可能なため、１ラインごとに画面の色が異なる不具合が緩和される。
【００２５】
【発明の実施の形態】
発明の実施の形態について図面を参照して説明する。
図１で本発明に係る立体映像表示装置の要部を説明する前に、図２で立体映像表示装置に用いられる３板式液晶プロジェクタの概略構成を説明する。
【００２６】
図２において、図１５の従来例と同様な構成の立体映像信号１が入力端子１５より、本実施の形態の特徴部分である信号処理回路１６０に入力される。信号処理回路１６０は立体映像信号１を処理し、Ｒ色信号、Ｇ色信号、Ｂ色信号に変換し、光学エンジン部１７に装着されている各色の液晶パネル（図示せず）に入力する。光源２０の光は光学エンジン部１７内の３枚の液晶パネルを透過し、表示面に表示された立体映像信号１が投写レンズ１８により、スクリーン１１に拡大投写される。
【００２７】
上記構成で、光学エンジン部１７は図１６に示した従来の構成と同様であり、本実施の形態の特徴である信号処理回路１６０は図１に示すように構成されている。
【００２８】
図１は本発明の一実施の形態の立体映像表示装置における、信号処理回路のブロック図を示している。
【００２９】
図１において、図１５で説明した信号処理回路１６と異なる点は、従来の欠点であった１ライン毎の色むら，色ずれを防ぐために、光学エンジン部１７内の各色の液晶パネル（ＬＣＤ）に入力されるＲ，Ｇ，Ｂのビデオ信号に対して、１ライン（１Ｈ）毎にＲ，Ｇ，Ｂのビデオ信号レベルを補正する回路を付加したことである。例えば、奇数ライン，偶数ライン毎にＲ，Ｇ，Ｂの画質データを変える回路を付加する。
【００３０】
図１に示す信号処理回路１６０は、奇数ラインと偶数ラインで異なった画質データを、奇数ライン／偶数ライン切り換え信号で１ライン（１Ｈ）毎に切り換えるデータ切り換え回路１６１と、奇数ラインと偶数ラインで偏光軸の異なった立体映像信号１を入力しＲ，Ｇ，Ｂ色信号に変換すると共に、データ切り換え回路１６１からの１ライン毎に異なった画質データにて画質を１ライン毎に設定（調整）する画質設定回路１６２と、画質設定回路１６２で画質設定（調整）されたＲ，Ｇ，Ｂ各信号を入力し、該信号をサンプリング処理等して、Ｒ，Ｇ，Ｂ用の各液晶パネル３０Ｒ，３０Ｇ，３０Ｂに供給してドライブするＬＣＤドライブ回路１６３とを具備して構成されている。
【００３１】
入力端子１５より入力される立体映像信号１は画質設定回路１６２に供給される。画質設定回路１６２では、立体映像信号１からＲ，Ｇ，Ｂ色信号に変換すると共に、データ切り換え回路１６１からの画質データに基づき、ブライトレベル，コントラストレベル，ガンマ特性レベル等の画質設定（調整）を行って、ＬＣＤドライブ回路１６３に送り、Ｒ液晶パネル３０Ｒ，Ｇ液晶パネル３０Ｇ，Ｂ液晶パネル３０Ｂをドライブして映像を表示することになる。ここで画質を設定する際、奇数ラインと偶数ラインで別の画質デ−タを設定できるように、データ切り換え回路１６１を設置する。データ切り換え回路１６１では、入力端子１５１から入力する画質データは奇数ラインと偶数ラインで異なった画質デ−タとなっており、入力端子１５２より入力される奇数ライン／偶数ライン切り換え信号により画質データを１ライン（１Ｈ）毎に切り換えて出力するようになっている。
【００３２】
次に、図１の動作を図３及び図４を参照して説明する。
奇数ラインをＳ偏光、偶数ラインをＰ偏光とすると、光学エンジン部１７（図１６参照）内の合成プリズムのＲ，Ｇ，Ｂの透過特性により、奇数ライン時にはＧ成分が、偶数ライン時にはＲ，Ｂ成分が他に比べてそれぞれ減衰することになる。このため、奇数ラインと偶数ラインの双方の透過光の違いを打ち消すようにＲ，Ｇ，Ｂの映像信号レベルを奇数ラインと偶数ラインそれぞれで設定（補正）するようにする。
【００３３】
図３は映像信号に補正をしていないときのＲ，Ｇ，Ｂの映像信号レベルが全て同一の波形（レベル）だとした場合（実際はホワイトバランス等の調整でＲ，Ｇ，Ｂが全て同一になることはないが、ここでは説明の都合上、同一とする）の、補正前の映像信号レベルを示している。
【００３４】
画質設定回路１６２で画質補正後のＲ，Ｇ，Ｂ信号は、奇数ラインでは図４(a) に示すようにＲ，Ｂ信号よりＧ信号は全体的にゲインが高いものとなる。これにより、奇数ラインにおける従来の透過・反射率特性（図１７(b) 参照）が補正され得る。また、偶数ラインでは図４(b) に示すようにＧ信号よりＲ，Ｂ信号のほうが全体的にゲインが高くなるような設定となる（図３及び図４は画質補正回路１６２に入力としてランプ信号を供給した場合の波形レベルの時間的変化を示している）。これにより、偶数ラインにおける従来の透過・反射率特性（図１７(d) 参照）が補正され得る。従って、これらの信号レベルが補正されたＲ，Ｇ，Ｂ信号を各色液晶パネルで表示しスクリーン上に投写した映像は、偏光メガネで見ると、左右の目から入る信号レベルに色むら，色ずれの補正が掛けられているため、１ライン毎の色味の違いが軽減され、自然な映像を視聴することができる。
【００３５】
次に、本発明の他の実施の形態を、図５〜図１０を参照して説明する。
図５で本発明に係る立体映像表示装置の要部を説明する前に、図６で立体映像表示装置に用いられる３板式液晶プロジェクタの概略構成を説明する。
【００３６】
図６において、図１５の従来例と同様な構成の立体映像信号１が入力端子１５より、信号処理回路１６に入力される。信号処理回路１６は立体映像信号１を処理し、Ｒ色信号、Ｇ色信号、Ｂ色信号に変換し、本実施の形態の特徴部分である光学エンジン部１７０に装着されている各色の液晶パネル（図示せず）に入力する。光源２０の光は光学エンジン部１７０内の３枚の液晶パネルを透過し、表示面に表示された立体映像信号１が投写レンズ１８により、スクリーン１１に拡大投写される。
【００３７】
上記構成で、信号処理回路１６は図１５の従来例の構成と同様であり、本実施の形態の特徴である光学エンジン部１７０は図５に示すように構成されている。
【００３８】
図５は本発明の他の実施の形態の立体映像表示装置における、光学エンジン部の構成を示している。
【００３９】
図５において、図１６の従来例と異なる点は、偏光変換手段３２Ｒ，３２Ｇ，３２Ｂの出射側に、それぞれ、色フィルタ３５Ｒ，３５Ｇ，３５Ｂを付加し、偏光変換手段３２Ｒ，３２Ｇ，３２Ｂの各色光を色フィルタ３５Ｒ，３５Ｇ，３５Ｂを通して合成プリズム３３に導く構成としている。その他の構成は、図１６と同様であるので省略する。
【００４０】
図７〜図１０を参照して具体的に説明する。
Ｇ色系の構成例えば、偏光変換手段３２Ｇ及び色フィルタ３５Ｇの部分を図７に示す。図７において、偏光変換手段３２Ｇは従来例と同様にガラス板３７Ｇ上の偶数ラインに当たる部分に位相差板３６Ｇが貼付されていて、その上に本実施の形態の特徴を成すＧ色フィルタ３５Ｇが貼付されている。つまり、奇数ラインは従来例のままで偶数ラインのみ 位相差板３６Ｇ＋フィルタ３５Ｇ の構成となっている。
【００４１】
Ｇ色フィルタ３５Ｇの透過特性は図９(a) に示すとおり、偶数ラインにおける合成プリズムのＰ偏光でのＧ透過特性の透過帯域を、従来特性（図１７(d) 参照）から太い実線で示すように奇数ラインにおけるＳ偏光でのＧ透過特性に近づけている。
【００４２】
一方、Ｒ，Ｂ色系の構成例えば、偏光変換手段３２Ｒ及び色フィルタ３５Ｒの部分を図８に示す。Ｒ光，Ｂ光での構成、作用は同じなので、Ｒ光についてのみ具体的に説明する。図８において、偏光変換手段３２Ｒは従来例と同様にガラス板３７Ｒ上の偶数ラインに当たる部分に位相差板３６Ｒが貼付されている。一方、本実施の形態の特徴を成すＲ色フィルタ３５Ｒは位相差板３６Ｒが貼付されていない奇数ラインに貼付されている。
【００４３】
Ｒ色フィルタ３５Ｒの透過特性は図９(b) に示すとおり、奇数ラインにおける合成プリズムのＳ偏光でのＲ反射特性の反射帯域を、従来特性（図１７(b) 参照）から太い実線で示すように偶数ラインにおけるＰ偏光でのＲ反射特性に近づけている。Ｂ色でも同様である。
【００４４】
以上のような作用を持つ、色フィルタ３５Ｒ，３５Ｇ，３５Ｂを付加した場合の合成プリズムでの透過、反射特性を図１０(a) 〜図１０(d) に示す。各色がＳ偏光となる奇数ラインでは、図１０(a) ，(b) に示すようにＲ色フィルタ３５Ｒ，Ｂ色フィルタ３５Ｂにより、Ｒ光及びＢ光のＳ偏光の反射特性がＰ偏光の反射特性に近づく。―方、Ｐ偏光となる偶数ラインでは、図１０(c) ，(d) に示すようにＧ色フィルタ３５Ｇにより、Ｇ光でのＰ偏光の透過特性がＳ偏光の透過特性に近づく。以上の作用により、合成プリズム３３によって合成された、投射画面の奇数ライン、偶数ラインでの色味の違いが緩和される。
【００４５】
尚、以上の説明では、フロント投写型液晶プロジェクタについて説明したが、本発明はフロント型に限らずリア投写型液晶プロジェクタに対しても応用することができる。
【００４６】
【発明の効果】
以上述べたように本発明によれば、３板式液晶プロジェクタで合成プリズムのＳ偏光，Ｐ偏光に対する反射，透過特性の違いより生じる、奇数ラインと偶数ラインでの色味の違いが緩和され、視聴者が投射画面を見たときの違和感が改善されるものである。
【図面の簡単な説明】
【図１】本発明の一実施の形態の立体映像表示装置における、信号処理回路を示すブロック図。
【図２】３板式液晶プロジェクタを用いた、本発明の一実施の形態の立体映像表示装置の概略構成を示す図。
【図３】画質データによる補正前のＲ，Ｇ，Ｂ映像信号レベルを示す図。
【図４】画質データによる補正後のＲ，Ｇ，Ｂ映像信号レベルを示す図。
【図５】本発明の他の実施の形態の立体映像表示装置における、光学エンジン部の構成図。
【図６】３板式液晶プロジェクタを用いた、本発明の他の実施の形態の立体映像表示装置の概略構成を示す図。
【図７】図５の実施の形態における、Ｇ色フィルタ付近の構成を示す斜視図。
【図８】図５の実施の形態における、Ｒ色フィルタ付近の構成を示す斜視図。
【図９】Ｇ色フィルタ、Ｒ色フィルタ、Ｂ色フィルタの透過特性を示した図。
【図１０】図５の実施の形態の作用、効果を示した図。
【図１１】単板式液晶プロジェクタを用いた、従来の立体映像表示装置の概略構成を示す図。
【図１２】立体映像信号の構成を示した図。
【図１３】偏光変換手段付近の構成を示す斜視図。
【図１４】視聴者の立体映像画面の見方を示した図。
【図１５】３板式液晶プロジェクタを用いた、従来の立体映像表示装置の概略構成を示す図。
【図１６】図１５の３板式液晶プロジェクタにおける光学エンジン部の構成図。
【図１７】図１６の光学エンジン部において、合成プリズムでの各色の奇数ラインと偶数ラインにおける反射、透過特性を示す図。
【符号の説明】
１１…スクリーン
１５…立体映像信号入力端子
１６，１６０…信号処理回路
１７，１７０…光学エンジン部
１８…投写レンズ
２０…白色光源
２１，２２，２３，２５，２７…ダイクロイックミラー（分光手段）
２９Ｒ，２９Ｇ，２９Ｂ…Ｒ，Ｇ，Ｂ光の各偏光板
３０Ｒ，３０Ｇ，３０Ｂ…Ｒ，Ｇ，Ｂ光の各液晶パネル
３１Ｒ，３１Ｇ，３１Ｂ…Ｒ，Ｇ，Ｂ光の各偏光板
３２Ｒ，３２Ｇ，３２Ｂ…Ｒ，Ｇ，Ｂ光の各偏光変換手段
３５Ｒ，３５Ｇ，３５Ｂ…Ｒ，Ｇ，Ｂ光の各色フィルタ
３６Ｒ，３６Ｇ，３６Ｂ…Ｒ，Ｇ，Ｂ光の各位相差板
１５１…画質データ入力端子
１５２…奇数ライン／偶数ライン切り換え信号入力端子
１６１…データ切り換え回路
１６２…画質設定回路
【図１】
0003805156.tif 000002
【図２】
0003805156.tif 000003
【図３】
0003805156.tif 000004
【図４】
0003805156.tif 000005
【図５】
0003805156.tif 000006
【図６】
0003805156.tif 000007
【図７】
0003805156.tif 000008
【図８】
0003805156.tif 000009
【図９】
0003805156.tif 000010
【図１０】
0003805156.tif 000011
【図１１】
0003805156.tif 000012
【図１２】
0003805156.tif 000013
【図１３】
0003805156.tif 000014
【図１４】
0003805156.tif 000015
【図１５】
0003805156.tif 000016
【図１６】
0003805156.tif 000017
【図１７】
0003805156.tif 000018